(57)【要約】【課題】容量性や誘導性の負荷に対応でき、リレースイッチを用いることなく、スイッチング素子の制御が簡単なＺソースインバータ回路を提供する。      【解決手段】第１，第２インダクタ１１Ｌ１，１１Ｌ２と、第１，第２キャパシタ１１Ｃ１，１１Ｃ２とから構成されるＺソース回路１１と、このＺソース回路１１を介して入力される蓄電池１２の電圧を交流電圧に変換して負荷に供給するインバータ回路２０とを備え、このインバータ回路２０は、第１スイッチング素子２１Ｑａ〜２６Ｑａを設けた複数の上アームと下アームとを有するＺソースインバータ回路１０であって、第１スイッチング素子２１Ｑａ〜２６Ｑａの導通方向と逆の導通方向の第２スイッチング素子２１Ｑｂ〜２６Ｑｂを各第１スイッチング素子に直列接続し、第２スイッチング素子２１Ｑｂ〜２６Ｑｂに、第１スイッチング素子と同じ導通方向のダイオード２１Ｄｂ〜２６Ｄｂを並列接続した。【選択図】  図１
2014143892.tif 000002
【特許請求の範囲】
【請求項１】
直流電源の陽極と陰極とにそれぞれ一方の端子が接続される第１，第２インダクタと、この第１インダクタの一方の端子と第２インダクタの他方の端子に接続される第１キャパシタと、第２インダクタの一方の端子と第１インダクタの他方の端子に接続される第２キャパシタとから構成されるＺソース回路と、
このＺソース回路を介して入力される前記直流電源の電圧を交流電圧に変換して負荷に供給するインバータ回路とを備え、このインバータ回路は、第１スイッチング素子を設けた複数の上アームと下アームとを有するＺソースインバータ回路であって、
前記第１スイッチング素子の導通方向と逆の導通方向の第２スイッチング素子を各第１スイッチング素子に直列接続し、
各第２スイッチング素子に、第１スイッチング素子と同じ導通方向のダイオードを並列接続したことを特徴とするＺソースインバータ回路。
【請求項２】
前記負荷が容量性の場合、前記第２スイッチング素子の全てをオンにして各アームの第１スイッチング素子を制御し、
前記負荷が誘導性の場合、前記第２スイッチング素子の全てをオフにして各アームの第１スイッチング素子を制御することを特徴とする請求項１に記載のＺソースインバータ回路。
【請求項３】
前記上アーム及び下アームはそれぞれ３つのアームから構成され、
前記交流電圧は３相交流電圧であることを特徴とする請求項１または請求項２に記載のＺソースインバータ回路。
【請求項４】
前記第１スイッチング素子と第２スイッチング素子のオン・オフを切り換える際に発生するサージ電圧を抑制するサージ電圧抑制回路を設けたことを特徴とする請求項１ないし請求項３のいずれか1つに記載のＺソースインバータ回路。
【請求項５】
前記サージ電圧抑制回路は、第1インダクタの他方の端子に接続された正電源ラインと、第２インダクタの他方の端子に接続された負電源ラインとの間に接続されるとともに、ダイオードとこのダイオードに直列接続されたコンデンサとから構成されていることを特徴とする請求項４に記載のＺソースインバータ回路。
【請求項６】
前記サージ電圧抑制回路は、前記コンデンサに並列接続された抵抗を有することを特徴とする請求項５に記載のＺソースインバータ回路。
【発明の詳細な説明】
【技術分野】
【０００１】
この発明は、２つのインダクタと２つのキャパシタとから構成されるインピーダンスネットワークを備えたＺソースインバータ回路に関する。
【背景技術】
【０００２】
従来から、２つのインダクタと２つのキャパシタとからなるインビーダンスネットワークと、インバータ回路とを備えたＺソースインバータ回路が知られている（特許文献１参照）。
【０００３】
かかるＺソースインバータ回路は、図７に示すように、インピーダンスネットワーク１と、インバータ回路２と、制御回路３とを備えている。
インバータ回路２は、スイッチング素子Ｔｒ１〜Ｔｒ６を有しており、制御回路３によるスイッチング素子Ｔｒ１〜Ｔｒ６のオン・オフ制御によって、蓄電池４の直流電力を交流三相電力に変換して回転電機５に供給するようになっている。  インピーダンスネットワーク１は、蓄電池４の直流電圧を昇圧するためものであり、例えば、スイッチング素子Ｔｒ１とスイッチング素子Ｔｒ４を同時にオンさせると、インピーダンスネットワーク１のインダクタＬ１，Ｌ２に電流が流れて該インダクタＬ１，Ｌ２にエネルギーがたまり、この後、スイッチング素子Ｔｒ１，Ｔｒ４のどちらか一方をオフすると、インダクタＬ１，Ｌ２の電流は負荷を介して減少し、そのたまったエネルギーは放出され、結果として高圧を発生する。
そして、スイッチング素子Ｔｒ１〜Ｔｒ６のオン・オフ制御によって、その高電圧を交流電圧に変換して回転電機５に印加させて、回転電機５を駆動させるものである。
【０００４】
すなわち、Ｚソースインバータ回路は、スイッチング素子Ｔｒ１〜Ｔｒ６のオン・オフ制御のみによって直流電圧の昇圧を行うとともに、直流交流変換を行なえるようにしたものである。
【先行技術文献】
【特許文献】
【０００５】
【特許文献１】特開２０１１−１４２７３８号公報
【特許文献２】特開２０１０−９３８６８号公報
【発明の概要】
【発明が解決しようとする課題】
【０００６】
しかしながら、このようなインバータ回路にあっては、負荷が回転電機５のような誘導性の場合に適用できるものであり、負荷が容量性の場合には、その負荷を駆動することが困難であるという問題がある。
【０００７】
また、負荷の種類（容量性や誘導性）に応じて、切換スイッチを切り換えることによって、容量性負荷や誘導性負荷に対応できるインバータ回路が提案さているが（特許文献２参照）、切換スイッチはリレースイッチを用いるため、装置が大型化してしまう問題があり、また、導通方向が逆方向となるように並列接続した一対のスイッチング素子を６組使用し、総計１２個のスイッチング素子のオン・オフを制御しなければならず、その制御が煩わしいという問題があった。
【０００８】
この発明の目的は、容量性や誘導性の負荷に対応することができ、しかも、リレースイッチを用いることなく、スイッチング素子の煩わしい制御を必要としないＺソースインバータ回路を提供することにある。
【課題を解決するための手段】
【０００９】
請求項１の発明は、直流電源の陽極と陰極とにそれぞれ一方の端子が接続される第１，第２インダクタと、この第１インダクタの一方の端子と第２インダクタの他方の端子に接続される第１キャパシタと、第２インダクタの一方の端子と第１インダクタの他方の端子に接続される第２キャパシタとから構成されるＺソース回路と、
このＺソース回路を介して入力される前記直流電源の電圧を交流電圧に変換して負荷に供給するインバータ回路とを備え、このインバータ回路は、第１スイッチング素子を設けた複数の上アームと下アームとを有するＺソースインバータ回路であって、
前記第１スイッチング素子の導通方向と逆の導通方向の第２スイッチング素子を各第１スイッチング素子に直列接続し、
各第２スイッチング素子に、第１スイッチング素子と同じ導通方向のダイオードを並列接続したことを特徴とする。
【発明の効果】
【００１０】
この発明によれば、容量性や誘導性の負荷に対応することができ、しかも、リレースイッチを用いて容量性や誘導性の負荷に対応して切り換える必要がなく、スイッチング素子の煩わしい制御も必要としない。
【図面の簡単な説明】
【００１１】
【図１】この発明に係るＺソースインバータ回路の構成を示した回路図である。
【図２】図１に示す回路を電圧形インバータとして使用する場合の等価回路を示した説明図である。
【図３】図１に示す回路を電流形インバータとして使用する場合の等価回路を示した説明図である。
【図４】第２実施例のＺソースインバータ回路の構成を示した回路図である。
【図５】第３実施例のＺソースインバータ回路の構成を示した回路図である。
【図６】他の例のサージ電圧抑制回路の構成を示した回路図である。
【図７】従来のＺソースインバータ回路の構成を示した回路図である。
【発明を実施するための最良の形態】
【００１２】
以下、この発明に係るＺソースインバータ回路の実施の形態である実施例を図面に基づいて説明する。
【実施例】
【００１３】
［第１実施例］
図１に示すＺソースインバータ回路１０は、Ｚソース昇圧回路（Ｚソース回路）１１と、インバータ回路２０とを有している。
［Ｚソース昇圧回路］
Ｚソース昇圧回路１１は、２つの第１，第２インダクタ１１Ｌ１，１１Ｌ２と、２つの第１，第２キャパシタ１１Ｃ１，１１Ｃ２とから構成されている。第１インダクタ１１Ｌ１の一方の端子はダイオードＤ１のカソードに接続され、ダイオードＤ１のアノードは蓄電池１２の陽極に接続されている。また、第２インダクタ１１Ｌ２の一方の端子は蓄電池１２の陰極に接続されている。
【００１４】
第１キャパシタ１１Ｃ１の一方の端子は第１インダクタ１１Ｌ１の一方の端子に接続され、第１キャパシタ１１Ｃ１の他方の端子は第２インダクタ１１Ｌ２の他方の端子に接続されている。また、第２キャパシタ１１Ｃ２の一方の端子は第１インダクタ１１Ｌ１の他方の端子に接続され、第２キャパシタ１１Ｃ２の他方の端子は第２インダクタ１１Ｌ２の一方の端子に接続されている。
【００１５】
そして、第１インダクタ１１Ｌ１の他方の端子は、後述するインバータ回路２０の正電源ラインＨ１に接続されている。また、第２インダクタ１１Ｌ２の他方の端子はインバータ回路２０の負電源ラインＨ２に接続されている。
［インバータ回路］
インバータ回路２０は、第１，第２，第３上アームを構成する上第１，第２，第３スイッチング回路２１，２２，２３と、この上第１，第２，第３スイッチング回路２１，２２，２３に直列接続された第１，第２，第３下アームを構成する下第１，第２，第３スイッチング回路２４，２５，２６と、各スイッチング回路２１〜２６のオン・オフを制御する制御装置３０とを有している。
【００１６】
この実施例では、上第１スイッチング回路２１が三相交流のＵ相の上アームを構成し、上第２スイッチング回路２２がＶ相の上アームを構成し、上第３スイッチング回路２３がＷ相の上アームを構成する。また、下第１スイッチング回路２４がＵ相の下アームを構成し、下第２スイッチング回路２５がＶ相の下アームを構成し、下第３スイッチング回路２６がＷ相の下アームを構成している。
［上第１スイッチング回路］  
上第１スイッチング回路２１は、スイッチング素子２１Ｑa，２１Ｑｂとダイオード２１Ｄａ，２１Ｄｂとを有している。スイッチング素子（第１スイッチング素子）２１Ｑａのコレクタがインバータ回路２０の正電源ラインＨ１に接続され、スイッチング素子２１Ｑａのエミッタがスイッチング素子（第２スイッチング素子）２１Ｑｂのエミッタに接続されている。スイッチング素子２１Ｑｂのコレクタはスイッチング回路２４に接続されている。
【００１７】
スイッチング素子２１Ｑａのコレクタにはダイオード２１Ｄａのカソードが接続され、ダイオード２１Ｄａのアノードがスイッチング素子２１Ｑａのエミッタに接続されている。スイッチング素子２１Ｑｂのエミッタにダイオード２１Ｄｂのアノードが接続され、スイッチング素子２１Ｑｂのコレクタにダイオード２１Ｄｂのカソードが接続されている。
【００１８】
すなわち、スイッチング素子２１Ｑａにスイッチング素子２１Ｑｂが直列接続され、互いに導通方向が逆方向となっている。また、スイッチング素子２１Ｑａ，２１Ｑｂにダイオード２１Ｄａ，２１Ｄｂが並列接続され、スイッチング素子２１Ｑａとダイオード２１Ｄａの導通方向は互いに逆方向となっており、スイッチング素子２１Ｑｂとダイオード２１Ｄｂの導通方向は互いに逆方向となっている。
［上第２スイッチング回路］  
上第２スイッチング回路２２は、スイッチング素子２２Ｑa，２２Ｑｂとダイオード２２Ｄａ，２２Ｄｂとを有している。スイッチング素子（第１スイッチング素子）２２Ｑａのコレクタがインバータ回路２０の正電源ラインＨ１に接続され、スイッチング素子２２Ｑａのエミッタがスイッチング素子（第２スイッチング素子）２２Ｑｂのエミッタに接続されている。スイッチング素子２２Ｑｂのコレクタはスイッチング回路２５に接続されている。
【００１９】
スイッチング素子２２Ｑａのコレクタにはダイオード２２Ｄａのカソードが接続され、ダイオード２２Ｄａのアノードがスイッチング素子２２Ｑａのエミッタに接続されている。スイッチング素子２２Ｑｂのエミッタにダイオード２２Ｄｂのアノードが接続され、スイッチング素子２２Ｑｂのコレクタにダイオード２２Ｄｂのカソードが接続されている。
【００２０】
すなわち、スイッチング素子２２Ｑａにスイッチング素子２２Ｑｂが直列接続され、互いに導通方向が逆方向となっている。また、スイッチング素子２２Ｑａ，２２Ｑｂにダイオード２２Ｄａ，２２Ｄｂが並列接続され、スイッチング素子２２Ｑａとダイオード２２Ｄａの導通方向は互いに逆方向となっており、スイッチング素子２２Ｑｂとダイオード２２Ｄｂの導通方向は互いに逆方向となっている。
［上第３スイッチング回路］  
上第３２スイッチング回路２３は、スイッチング素子２３Ｑa，２３Ｑｂとダイオード２３Ｄａ，２３Ｄｂとを有している。スイッチング素子（第１スイッチング素子）２３Ｑａのコレクタがインバータ回路２０の正電源ラインＨ１に接続され、スイッチング素子２３Ｑａのエミッタがスイッチング素子（第２スイッチング素子）２３Ｑｂのエミッタに接続されている。スイッチング素子２３Ｑｂのコレクタはスイッチング回路２６に接続されている。
【００２１】
スイッチング素子２３Ｑａのコレクタにはダイオード２３Ｄａのカソードが接続され、ダイオード２３Ｄａのアノードがスイッチング素子２３Ｑａのエミッタに接続されている。スイッチング素子２３Ｑｂのエミッタにダイオード２３Ｄｂのアノードが接続され、スイッチング素子２３Ｑｂのコレクタにダイオード２３Ｄｂのカソードが接続されている。
【００２２】
すなわち、スイッチング素子２３Ｑａにスイッチング素子２３Ｑｂが直列接続され、互いに導通方向が逆方向となっている。また、スイッチング素子２３Ｑａ，２３Ｑｂにダイオード２３Ｄａ，２３Ｄｂが並列接続され、スイッチング素子２３Ｑａとダイオード２３Ｄａの導通方向は互いに逆方向となっており、スイッチング素子２３Ｑｂとダイオード２３Ｄｂの導通方向は互いに逆方向となっている。
［下第１スイッチング回路］  
下第１スイッチング回路２４は、スイッチング素子２４Ｑa，２４Ｑｂとダイオード２４Ｄａ，２４Ｄｂとを有している。スイッチング素子（第１スイッチング素子）２４Ｑａのコレクタが上第１スイッチング回路２１のスイッチング素子（第２スイッチング素子）２１Ｑｂのコレクタに接続され、スイッチング素子２４Ｑａのエミッタがスイッチング素子２４Ｑｂのエミッタに接続されている。スイッチング素子２４Ｑｂのコレクタはインバータ回路２０の負電源ラインＨ２に接続されている。
【００２３】
スイッチング素子２４Ｑａのコレクタにはダイオード２４Ｄａのカソードが接続され、ダイオード２４Ｄａのアノードがスイッチング素子２４Ｑａのエミッタに接続されている。スイッチング素子２４Ｑｂのエミッタにダイオード２４Ｄｂのアノードが接続され、スイッチング素子２４Ｑｂのコレクタにダイオード２４Ｄｂのカソードが接続されている。
【００２４】
すなわち、スイッチング素子２４Ｑａにスイッチング素子２４Ｑｂが直列接続され、互いに導通方向が逆方向となっている。また、スイッチング素子２４Ｑａ，２４Ｑｂにダイオード２４Ｄａ，２４Ｄｂが並列接続され、スイッチング素子２４Ｑａとダイオード２４Ｄａの導通方向は互いに逆方向となっており、スイッチング素子２４Ｑｂとダイオード２４Ｄｂの導通方向は互いに逆方向となっている。
［下第２スイッチング回路］
下第２スイッチング回路２５は、スイッチング素子２５Ｑa，２５Ｑｂとダイオード２５Ｄａ，２５Ｄｂとを有している。スイッチング素子（第１スイッチング素子）２５Ｑａのコレクタが上第１スイッチング回路２２のスイッチング素子（第２スイッチング素子）２２Ｑｂのコレクタに接続され、スイッチング素子２５Ｑａのエミッタがスイッチング素子２５Ｑｂのエミッタに接続されている。スイッチング素子２５Ｑｂのコレクタはインバータ回路２０の負電源ラインＨ２に接続されている。
【００２５】
スイッチング素子２５Ｑａのコレクタにはダイオード２５Ｄａのカソードが接続され、ダイオード２５Ｄａのアノードがスイッチング素子２５Ｑａのエミッタに接続されている。スイッチング素子２５Ｑｂのエミッタにダイオード２５Ｄｂのアノードが接続され、スイッチング素子２５Ｑｂのコレクタにダイオード２５Ｄｂのカソードが接続されている。
【００２６】
すなわち、スイッチング素子２５Ｑａにスイッチング素子２５Ｑｂが直列接続され、互いに導通方向が逆方向となっている。また、スイッチング素子２５Ｑａ，２５Ｑｂにダイオード２５Ｄａ，２５Ｄｂが並列接続され、スイッチング素子２５Ｑａとダイオード２５Ｄａの導通方向は互いに逆方向となっており、スイッチング素子２５Ｑｂとダイオード２５Ｄｂの導通方向は互いに逆方向となっている。
［下第３スイッチング回路］
下第３スイッチング回路２６は、スイッチング素子２６Ｑa，２６Ｑｂとダイオード２６Ｄａ，２６Ｄｂとを有している。スイッチング素子（第１スイッチング素子）２６Ｑａのコレクタが上第１スイッチング回路２３のスイッチング素子（第２スイッチング素子）２３Ｑｂのコレクタに接続され、スイッチング素子２６Ｑａのエミッタがスイッチング素子２６Ｑｂのエミッタに接続されている。スイッチング素子２６Ｑｂのコレクタはインバータ回路２０の負電源ラインＨ２に接続されている。
【００２７】
スイッチング素子２６Ｑａのコレクタにはダイオード２６Ｄａのカソードに接続され、ダイオード２６Ｄａのアノードがスイッチング素子２６Ｑａのエミッタに接続されている。スイッチング素子２６Ｑｂのエミッタにダイオード２６Ｄｂのアノードが接続され、スイッチング素子２６Ｑｂのコレクタにダイオード２６Ｄｂのカソードが接続されている。
【００２８】
すなわち、スイッチング素子２６Ｑａにスイッチング素子２６Ｑｂが直列接続され、互いに導通方向が逆方向となっている。また、スイッチング素子２６Ｑａ，２６Ｑｂにダイオード２６Ｄａ，２６Ｄｂが並列接続され、スイッチング素子２６Ｑａとダイオード２６Ｄａの導通方向は互いに逆方向となっており、スイッチング素子２６Ｑｂとダイオード２６Ｄｂの導通方向は互いに逆方向となっている。
【００２９】
上第１スイッチング回路２１と下第１スイッチング回路２４との接続点Ｕ１は負荷４０のＵ相端子４０Ｕに接続され、上第２スイッチング回路２２と下第２スイッチング回路２５との接続点Ｖ１は負荷４０のＶ相端子４０Ｖに接続され、上第３スイッチング回路２３と下第３スイッチング回路２６との接続点Ｗ１は負荷４０のＷ相端子４０Ｗに接続されている。
［制御装置］
制御装置３０は、各スイッチング回路２１〜２６のスイッチング素子２１Ｑａ〜２６Ｑａ，２１Ｑｂ〜２６Ｑｂのベースに電圧を印加して、各スイッチング素子２１Ｑａ〜２６Ｑａ，２１Ｑｂ〜２６Ｑｂのオン・オフを制御するものである。
［動  作］
次に、上記のように構成されるＺソースインバータ回路１０の動作について説明する。
【００３０】
負荷４０が誘導性の場合、例えば三相交流モータなどの場合、制御装置３０は、各スイッチング回路２１〜２６のスイッチング素子２１Ｑｂ〜２６Ｑｂの全てを常時オンさせておく。そして、負荷４０に三相交流電圧が印加するように各スイッチング素子２１Ｑａ〜２６Ｑａのオン・オフの制御を行う。
【００３１】
スイッチング素子２１Ｑｂ〜２６Ｑｂの全てを常時オンさせておくことにより、各ダイオード２１Ｄｂ〜２６Ｄｂのアノードとカソード間が短絡された状態となる。このため、図１に示す回路は図２に示す回路と等価となる。
【００３２】
図２に示す回路は、典型的な電圧形インバータ回路であり、各スイッチング素子２１Ｑａ〜２６Ｑａのオン・オフ制御によって、負荷４０である三相交流モータに三相交流電圧を印加させることができ、三相交流モータを駆動させることができることになる。
【００３３】
負荷４０が容量性の場合、例えば電源や配電系統である場合、制御装置３０は、
各スイッチング回路２１〜２６のスイッチング素子２１Ｑｂ〜２６Ｑｂの全てを常時オフさせておく。
【００３４】
スイッチング素子２１Ｑｂ〜２６Ｑｂの全てを常時オフさせておくことにより、
スイッチング素子２１Ｑｂ〜２６Ｑｂを設けていない回路となる。すなわち、図１に示す回路は図３に示す回路と等価となる。
図３に示す回路は、電流形インバータ回路であり、スイッチング素子２１Ｑａ〜２６Ｑａのオン・オフ制御によって、負荷４０である電源や配電系統に三相交流電流を供給することができることになる。
【００３５】
このように、各スイッチング回路２１〜２６のスイッチング素子２１Ｑｂ〜２６Ｑｂの全てを常時オンさせておくか、オフさせておくかだけで負荷４０の種類（誘導性か容量性）に応じて電圧形インバータ回路か電流形インバータ回路かへの切り換えを行うことができることになる。しかも、リレースイッチを設けていないことにより、Ｚソースインバータ回路１０の小型軽量化を図ることができる。
【００３６】
また、６個のスイッチング素子２１Ｑａ〜２６Ｑａのオン・オフを制御するだけでよいので、従来のように１２個のスイッチング素子を制御する必要がなく、このためスイッチング素子２１Ｑａ〜２６Ｑａの制御は簡単なものとなる。
［第２実施例］  
図４は第２実施例のＺソースインバータ回路１００を示す。このＺソースインバータ回路１００は、三相交流電源４５とＺソース昇圧回路１１との間に、サイリスタコンバータ５０を設けたものであり、このサイリスタコンバータ５０は、６つのサイリスタＳ１ａ〜Ｓ３ａ，Ｓ１ｂ〜Ｓ３ｂを有し、このサイリスタＳ１ａ〜Ｓ３ａ，Ｓ１ｂ〜Ｓ３ｂの導通を制御装置３０によって行う。
【００３７】
このＺソースインバータ回路１００は、スイッチング素子２１Ｑａ〜２６Ｑａのオン・オフ制御によって、負荷４０であるモータによって発生する電圧を回生できるようにしたものである。
【００３８】
すなわち、サイリスタコンバータ５０から−Ｅｄの電圧が出力されているとき、サイリスタコンバータ５０に電流が入力するように、スイッチング素子２１Ｑａ〜２６Ｑａのオン・オフを制御すれば、モータで発生する電圧を三相交流電源４５へ戻すことができる。他の動作は、第１実施例と同様なのでその説明は省略する。
［第３実施例］
図５は第３実施例のＺソースインバータ回路２００を示す、このＺソースインバータ回路２００は、正電源ラインＨ１と負電源ラインＨ２との間にサージ電圧抑制回路６０を接続したものである。
【００３９】
サージ電圧抑制回路６０は、ダイオード６１と、このダイオード６１に直列接続されたコンデンサ６２とを有している。ダイオード６１のアノードは正電源ラインＨ１に接続され、ダイオード６１のカソードはコンデンサ６２の一方の端子に接続されている。コンデンサ６２の他方の端子は負電源ラインＨ２に接続されている。
【００４０】
サージ電圧抑制回路６０は、Ｚソースインバータ回路２００が電圧形インバータ回路の動作から電流形インバータ回路の動作へ移行するときに発生するサージ電圧を抑制するものである。
【００４１】
すなわち、上下第１〜第３スイッチング回路２１〜２６の全てのスイッチング素子２１Ｑｂ〜２６Ｑｂのオンからオフに切り換わるときに、正電源ラインＨ１と負電源ラインＨ２との間に大きなサージ電圧が発生する。このサージ電圧は、サージ電圧抑制回路６０のダイオード６１によって整流されてコンデンサ６２に充電されていく。これによって、サージ電圧は抑制される。
【００４２】
同様に、Ｚソースインバータ回路２００が電流形インバータ回路の動作から電圧形インバータ回路の動作へ移行するとき、すなわち、上下第１〜第３スイッチング回路２１〜２６の全てのスイッチング素子２１Ｑｂ〜２６Ｑｂのオフからオンに切り換えるときに、正電源ラインＨ１と負電源ラインＨ２との間に大きなサージ電圧が発生するが、このサージ電圧もサージ電圧抑制回路５０によって抑制される。
【００４３】
図６は他の例のサージ電圧抑制回路７０を示す。このサージ電圧抑制回路７０は、コンデンサ６２に抵抗７１を並列接続したものである。この抵抗７１により、コンデンサ６２に充電されたサージ電圧を放電させるようにしたものである。
【００４４】
第３実施例では、正電源ラインＨ１とコンデンサ６２との間にダイオード６１を接続しているが、負電源ラインＨ２とコンデンサ６２との間にダイオード６１を接続してもよい。
【００４５】
この第３実施例によれば、サージ電圧抑制回路６０,７０は、ダイオード６１とコンデンサ６２と抵抗７１などの電子部品から構成するものであるから、その電子部品は小さく安価なものなので、Ｚソースインバータ回路２００,３００は大型化してしまうことなく、しかも安価でサージ電圧の抑制を図ることができる。
【００４６】
上記実施例では、いずれも直流電圧を三相交流電圧に変換するＺソースインバータ回路１０，１００,２００,３００について説明したが、必ずしも三相交流電圧でなくてもよい。
【００４７】
この発明は、上記実施例に限らず、特許請求の範囲の発明の要旨を逸脱しない限り、設計の変更や追加等は許容される。
【符号の説明】
【００４８】
１０                Ｚソースインバータ回路
１１                Ｚソース昇圧回路（Ｚソース回路）
１１Ｌ１            第１インダクタ
１１Ｌ２            第２インダクタ
１１Ｃ１            第１キャパシタ
１１Ｃ２            第２キャパシタ
２０                インバータ回路
２１〜２３          上第１〜第３スイッチング回路
２４〜２６          下第１〜第３スイッチング回路
２１Ｑａ〜２６Ｑａ  スイッチング素子（第１スイッチング素子）
２１Ｑｂ〜２６Ｑｂ  スイッチング素子（第２スイッチング素子）
２１Ｄａ〜２６Ｄａ  ダイオード
２１Ｄｂ〜２６Ｄｂ  ダイオード
【図１】
2014143892.tif 000003
【図２】
2014143892.tif 000004
【図３】
2014143892.tif 000005
【図４】
2014143892.tif 000006
【図５】
2014143892.tif 000007
【図６】
2014143892.tif 000008
【図７】
2014143892.tif 000009